(57)【要約】【課題】蓄電用の電池のメンテナンスを容易にすることができる電力貯蔵システム等を提供する。【解決手段】直列又は並列状態に接続された複数の蓄電用単電池３…を一体的に保持する電池ユニット１と、該電池ユニット１を設置するユニット設置部２とが備えられ、電池ユニット１にプラスマイナスの両接続端子１ａ，１ｂが備えられると共に、ユニット設置部２に、電池ユニット１の各接続端子を接続するプラスマイナスの両接続端子２ａ，２ｂが備えられ、電池ユニット１をユニット設置部２に設置することで、電池ユニット１の接続端子１ａ，１ｂとユニット設置部２の接続端子２ａ，２ｂとが接続され、電池ユニット１をユニット設置部２から外すことによりこれら端子の接続が解除されるようになされている。【選択図】      図１
2007141516.tif 000002
【特許請求の範囲】
【請求項１】
直列又は並列状態に接続された複数の蓄電用単電池を一体的に保持する電池ユニットと、該電池ユニットを設置するユニット設置部とが備えられ、
前記電池ユニットにプラスマイナスの両接続端子が備えられると共に、ユニット設置部に、電池ユニットの各接続端子を接続するプラスマイナスの両接続端子が備えられ、電池ユニットをユニット設置部に設置することで、電池ユニットの接続端子とユニット設置部の接続端子とが接続され、電池ユニットをユニット設置部から外すことにより、端子の接続が解除されるようになされていることを特徴とする電力貯蔵システム。
【請求項２】
前記ユニット設置部が建物のデッドスペースに備えられ、該デッドスペースを利用して電池ユニットがユニット設置部に設置されるようになされている請求項１に記載の電力貯蔵システム。
【請求項３】
前記デッドスペースが建物の床下であり、ユニット設置部が床下に設けられると共に、基礎の立ち上がり部に開口部が設けられ、電池ユニットを屋外から該開口部を通じてスライド式でユニット設置部に設置することができるようになされている請求項２に記載の電力貯蔵システム。
【請求項４】
直列又は並列状態に接続された複数の蓄電用単電池を一体的に保持し、他と接続するプラスマイナスの両接続端子が備えられていることを特徴とする電力貯蔵システム用電池ユニット。
【発明の詳細な説明】
【技術分野】
【０００１】
本発明は、電力貯蔵システム及び電池ユニットに関する。
【背景技術】
【０００２】
例えば、住宅の床下スペースに商用電力を蓄電する蓄電池を設置し、安価な深夜電力を利用して蓄電池に蓄電し、その電力を割高な昼間の時間帯に使用できるようにする電力貯蔵システムは、従来より提供されている。
【特許文献１】特開２０００−３２３１１３号公報
【発明の開示】
【発明が解決しようとする課題】
【０００３】
しかしながら、従来の電力貯蔵システムでは、蓄電池がラック式の架台に一つ一つ設置され、それらが現場配線によって接続される構造になっているため、蓄電池の点検や修理を行う場合に、奥の電池の点検、修理のために手前の電池を取り外す必要があるなど、配線のやり直しが大掛かりなものになることがあり、メンテナンスが厄介であるという問題があった。
【０００４】
本発明は、上記のような問題点に鑑み、電池のメンテナンスを容易にすることができる電力貯蔵システム等を提供することを課題とする。
【課題を解決するための手段】
【０００５】
上記の課題は、直列又は並列状態に接続された複数の蓄電用単電池を一体的に保持する電池ユニットと、該電池ユニットを設置するユニット設置部とが備えられ、
前記電池ユニットにプラスマイナスの両接続端子が備えられると共に、ユニット設置部に、電池ユニットの各接続端子を接続するプラスマイナスの両接続端子が備えられ、電池ユニットをユニット設置部に設置することで、電池ユニットの接続端子とユニット設置部の接続端子とが接続され、電池ユニットをユニット設置部から外すことにより、端子の接続が解除されるようになされていることを特徴とする電力貯蔵システムによって解決される（第１発明）。
【０００６】
この電力貯蔵システムでは、電池のメンテナンスは、電池ユニットをユニット設置部から外した状態で、その電池ユニットに対して行えばよく、電池ユニットを構成する各電池のメンテナンスを容易にすることができる。
【０００７】
しかも、電池ユニットをユニット設置部から外せば端子同士の接続が解除され、設置すれば端子同士が接続されるようになされているので、電池ユニットの取外しと設置に伴う結線等の厄介な配線作業を省略することができ、ひいては、電池のメンテナンス作業も電力貯蔵システムの施工も容易にすることができる。
【０００８】
ユニット設置部が建物のデッドスペースに備えられ、該デッドスペースを利用して電池ユニットがユニット設置部に設置されるようになされているとよい（第２発明）。
【０００９】
この場合は、電池ユニットがユニット設置部に対して脱着できるようになされていることを利用して、電池ユニットをデッドスペースの外に移動させて電池のメンテナンスを行うことができ、電池ユニットがユニット設置部に対する脱着により同時に端子の接続解除と接続が行われることも相俟って、電池のメンテナンスを容易にすることができる。もちろん、建物のデッドスペースに設置する構造とすることによって、建物内の居室スペースを広く確保することができる。
【００１０】
デッドスペースは、床下であってもよいし、壁の中であってもよいし、階間空間部であってもよいし、天井裏であってもよいし、階段下であってもよいが、電池の一般的性質などの理由から、年間を通じて温度の変化が小さい床下に設置するとよい。
【００１１】
上記のデッドスペースが建物の床下であり、ユニット設置部が床下に設けられると共に、基礎の立ち上がり部に開口部が設けられ、電池ユニットを屋外から該開口部を通じてスライド式でユニット設置部に設置することができるようになされているとよい（第３発明）。
【００１２】
この場合は、電池ユニットを、基礎立ち上がり部の開口部を通じて屋外に取り出してメンテナンス作業を行うことができ、建物内へのメンテナンス作業員の立ち入りを抑制することができるのみならず、基礎立ち上がり部の開口部を通じた電池ユニットのスライド式の出し入れを行うだけで、端子同士の接続解除と接続が達せられ、電池のメンテナンス作業を容易にすることができる。
【００１３】
また、上記の課題は、直列又は並列状態に接続された複数の蓄電用単電池を一体的に保持し、他と接続するプラスマイナスの両接続端子が備えられていることを特徴とする電力貯蔵システム用電池ユニットによっても解決される（第４発明）。
【００１４】
この電池ユニットによれば、他との接続をプラスマイナスの両接続端子によって行うことができて、電池ユニットの設置場所での配線作業は、これら接続端子だけを他と接続するだけでよく、配線作業が容易であり、電池ユニットを構成する電池のメンテナンス作業を、電池ユニットを設置場所から他に移動させて、電池のメンテナンス作業の全体を容易にすることができる。
【発明の効果】
【００１５】
本発明の電力貯蔵システムは、以上のとおりのものであるから、電池のメンテナンス作業を容易にすることができる。
【発明を実施するための最良の形態】
【００１６】
次に、本発明の実施最良形態を図面に基づいて説明する。
【００１７】
図１〜図３に示す実施形態の電力貯蔵システムにおいて、１は電池ユニット、２はユニット設置部としての設置台である。
【００１８】
電池ユニット１は、直列又は並列状態に接続された複数の蓄電用単電池３…を一体的に保持するもので、本実施形態では、電池３…が並列状態に配置され、これら電池３…を保持体４が保持する構造となっており、該保持体４は、図示しないけれども、骨組み構造のみからなっていて、各電池３…が常に周囲の空気に触れることができるようになされている。
【００１９】
ユニット設置台２は、デッドスペースとしての建物の床下５の土間面６上に設置されると共に、基礎の立ち上がり部７には開口部８が設けられ、電池ユニット１を、屋外から該開口部８を通じて、スライド式でユニット設置台２に設置することができるようになされている。
【００２０】
それを容易にするため、本実施形態では、図２等に示すように、ユニット設置台２の上面部に凹状の左右のレール９，９が設けられると共に、電池ユニット１の下面部には、レール９，９に摺動可能に嵌合される凸状の係合部１２，１２が設けられ、電池ユニット１がユニット設置台２の上をレール９，９に案内されてスライドするようになされている。
【００２１】
そして、上記の電池ユニット１の保持体４には、一方の側面部に、プラスマイナスの一対の接続端子１ａ，１ｂが前後方向に離れて設けられていると共に、ユニット設置台２の対応する一方の側面部に、電池ユニット１の各接続端子１ａ，１ｂを接続するプラスマイナスの一対の接続端子２ａ，２ｂが備えられ、電池ユニット１を、基礎立ち上がり部７の開口部８を通じてユニット設置台２上をスライドさせて所定の設置位置に設置すると、同時に電池ユニット１の接続端子１ａ，１ｂとユニット設置台２の接続端子２ａ，２ｂとが接続され、電池ユニット１をユニット設置台２から基礎立ち上がり部７の開口部８の側に引き出すと、同時にそれらの端子１ａ，１ｂ，２ａ，２ｂの接続が解除されるようになされている。
【００２２】
なお、開口部８は、床下通気用の開口部として用いられてもよいし、普段は蓋で閉じておくようにしてもよい。また、図２に示すように、貯蔵しようとする電力量に応じて、床下に複数のユニット設置台２…を設置しておき、各ユニット設置台２…に電池ユニット１を設置することができるようになされていてもよい。１０はパワーコンディショナー、１１は分電盤、１３はストッパーである。
【００２３】
上記の電力貯蔵システムでは、電池３のメンテナンスを行う場合は、次のようにする。まず、基礎立ち上がり部７の開口部８を通じて電池ユニット１を屋外に引き出す。すると、電池ユニット１とユニット設置台２の各端子１ａ，１ｂ，２ａ，２ｂの接続も解除され、電池ユニット１を屋外に容易に取り出すことができる。
【００２４】
次いで、電池３のメンテナンスを行うが、メンテナンスは、こうして屋外に取り出した電池ユニット１の電池３に対して行えばよく、電池３の交換や修理を、結線等の配線作業に煩わされることなく容易に行っていくことができる。
【００２５】
そして、メンテナンスを終えた電池ユニット１を、基礎立ち上がり部７の開口部８を通じてユニット設置台２の上に載せ、図３（イ）に示すように奥の方にスライドさせていき、図３（ロ）に示すように、ストッパー１３に当接させれば、所定の設置位置に設置され、同時に、電池ユニット１とユニット設置台２の各端子１ａ，１ｂ，２ａ，２ｂが接続されて、結線作業などの配線作業をすることなく、電池３のメンテナンスを終えることができる。
【００２６】
以上に、本発明の実施形態を示したが、本発明はこれに限られるものではなく、発明思想を逸脱しない範囲で各種の変更が可能である。例えば、上記の実施形態では、電池ユニットをスライド式でユニット設置台に設置する場合を示したが、建物の床面に開口部を設け、該開口部を通じて電池ユニットを昇降させることによりユニット設置台に設置するタイプに構成されていてもよいし、電池ユニットを吊下げ式でユニット設置部に設置するタイプに構成されていてもよいし、各種タイプの設置方式が採用されてよい。
【００２７】
また、電池ユニットとユニット設置部に備えられる接続端子の位置についても制限はなく、設置方式等との関係で、都合の良い位置に備えられていればよい。
【００２８】
更に、第１発明では、ユニット設置部の設置場所の制限はなく、例えば、建物に隣接して設けられた蓄電池設置用の小屋内を設置場所にしてもよい。
【図面の簡単な説明】
【００２９】
【図１】実施形態の電力貯蔵システムを示す断面正面図である。
【図２】電池ユニットとユニット設置台とを分離状態にして示す斜視図である。
【図３】図（イ）及び図（ロ）は電池ユニットの設置方法を順次に示す断面正面図である。
【符号の説明】
【００３０】
１…電池ユニット
１ａ，１ｂ…接続端子
２…ユニット設置台（ユニット設置部）
２ａ，２ｂ…接続端子
３…単電池
５…床下
７…基礎立ち上がり部
８…開口部
【図１】
2007141516.tif 000003
【図２】
2007141516.tif 000004
【図３】
2007141516.tif 000005